(57)【要約】【課題】  液晶分子の配向が逆方向のツイスト配向となる部分が発生することを抑制し、表示品位の良好な液晶表示装置を提供する。【解決手段】  第１基板１０１と、第１基板１０１と対向するように配置された第２基板１０２と、第１基板１０１と第２基板１０２との間に挟持された液晶層と、第１基板１０１上において、１以上のスリットＳＬＴを備えるとともにマトリクス状に配置された複数の第１電極ＰＥと、絶縁層を介して複数の第１電極ＰＥと対向するように配置された第２電極ＣＥと、第１基板１０１および第２基板１０２上に配置され、液晶層を介して互いに対向する一対の配向膜と、を備え、スリットＳＬＴは、第１方向Ｄ１に延びる第１スリット部ＳＬＴ１と、第２方向Ｄ２に延びる第２スリット部ＳＬＴ２とを備え、第１方向Ｄ１と配向膜のラビング方向ＤＲとが成す角は、第２方向Ｄ２と配向膜のラビング方向ＤＲとが成す角よりも大きい液晶表示装置。【選択図】図１
2011022492.tif 000002
【特許請求の範囲】
【請求項１】
第１基板と、
前記第１基板と対向するように配置された第２基板と、
前記第１基板と前記第２基板との間に挟持された液晶層と、
前記第１基板上において、１以上のスリットを備えるとともにマトリクス状に配置された複数の第１電極と、
絶縁層を介して前記複数の第１電極と対向するように配置された第２電極と、
前記第１基板および前記第２基板上に配置され、前記液晶層を介して互いに対向した一対の配向膜と、を備え、
前記スリットは、第１方向に延びる第１スリット部と、第２方向に延びる第２スリット部とを備え、
前記第１方向と前記配向膜のラビング方向とが成す角は、前記第２方向と前記配向膜のラビング方向とが成す角よりも大きい液晶表示装置。
【請求項２】
前記第１スリット部は、前記第２スリット部の間に配置されている請求項１記載の液晶表示装置。
【請求項３】
前記第２スリット部は、前記第１スリット部の間に配置されている請求項１記載の液晶表示装置。
【請求項４】
第１基板と、
前記第１基板と対向するように配置された第２基板と、
前記第１基板と前記第２基板との間に挟持された液晶層と、
前記第１基板上において、１以上のスリットを備えるとともにマトリクス状に配置された複数の第１電極と、
絶縁層を介して前記複数の第１電極と対向するように配置された第２電極と、
前記第１基板および前記第２基板上に配置され、前記液晶層を介して互いに対向した一対の配向膜と、を備え、
前記第１電極は、並んで配置された第１画素電極および第２画素電極を備え、
前記第１画素電極に設けられた前記スリットは、第３方向に延びる第３スリット部と、第４方向に延びる第４スリット部と、を備え、
前記第２画素電極に設けられた前記スリットは、前記第１画素電極および前記第２画素電極が並ぶ方向と略直交する対称軸方向に対して前記第３方向に対称な第５方向に延びる第５スリット部と、前記対称軸方向に対して前記第４方向に対称な第６方向に延びる第６スリット部と、を備え、
前記第４スリット部および前記第６スリット部は、前記第１画素電極および前記第２画素電極の対向する端辺近傍に配置され、
前記第３方向および前記第５方向と前記配向膜のラビング方向とが成す角は、前記第４方向および前記第６方向と前記配向膜のラビング方向とが成す角よりも大きい液晶表示装置。
【請求項５】
第１基板と、
前記第１基板と対向するように配置された第２基板と、
前記第１基板と前記第２基板との間に挟持された液晶層と、
前記第１基板上において、１以上のスリットを備えるとともにマトリクス状に配置された複数の第１電極と、
絶縁層を介して前記複数の第１電極と対向するように配置された第２電極と、
前記第１基板および前記第２基板上に配置され、前記液晶層を介して互いに対向した一対の配向膜と、を備え、
前記第１電極は、並んで配置された第１画素電極および第２画素電極を備え、
前記第１画素電極に設けられた前記スリットは、第３方向に延びる第３スリット部と、第４方向に延びる第４スリット部と、を備え、
前記第２画素電極に設けられた前記スリットは、前記第１画素電極および前記第２画素電極が並ぶ方向と略直交する対称軸方向に対して前記第３方向に対称な第５方向に延びる第５スリット部と、前記対称軸方向に対して前記第４方向に対称な第６方向に延びる第６スリット部と、を備え、
前記第３スリット部および前記第５スリット部は、前記第１画素電極および前記第２画素電極の対向する端辺近傍に配置され、
前記第３方向および前記第５方向と前記配向膜のラビング方向とが成す角は、前記第４方向および前記第６方向と前記配向膜のラビング方向とが成す角よりも大きい液晶表示装置。
【発明の詳細な説明】
【技術分野】
【０００１】
本発明は、液晶表示装置に関し、特に、マトリクス状に配置された複数の表示画素を備える液晶表示装置に関する。
【背景技術】
【０００２】
液晶表示装置は、互いに対向して配置された一対の基板と、この一対の基板間に挟持された液晶層とを備えている。また、液晶表示装置は、一対の基板の一方に、マトリクス状に複数の第１電極と、複数の第１電極と対向する第２電極とを配置して、第１電極と第２電極との間に生じる横電界によって液晶層に含まれる液晶分子の配向状態を制御するＩＰＳ（In-Plane Switching）方式やＦＦＳ（Fringe Field Switching）方式の液晶表示装置が提案されている。
【０００３】
例えば、特許文献１では、画素電極と共通電極との長手方向と配向膜の配向処理された方向との成す角、セルギャップ、液晶の誘電率異方性、白表示時に画素電極に印加される電圧の大きさ、および、画素電極と共通電極との間隔を所定の関係を満たすように設定し、応答速度が速く、信頼性が高い横電界方式の液晶表示装置およびその製造方法が開示されている。
【先行技術文献】
【特許文献】
【０００４】
【特許文献１】特開２００５−１４０９２６号公報
【発明の概要】
【発明が解決しようとする課題】
【０００５】
上記のような横電界により液晶分子の配向状態を制御する液晶表示装置では、押圧や異常な高電圧等の外乱により、液晶分子の配向状態が乱れて、所望のツイスト配向とは逆のツイスト配向となる部分が、表示画素の一部に安定に存在することがあった。この逆のツイスト配向となる部分は、輝点等の表示不良として視認されることがあった。上記のような逆方向のツイスト配向は、電極に設けられたスリットが延びる方向と配向膜のラビング方向とが成す角度が大きい場合には発生することが少なくなった。
【０００６】
本発明は上記事情に鑑みてなされたものであって、液晶分子の配向が逆方向のツイスト配向となる部分が発生することを抑制し、表示品位の良好な液晶表示装置を提供することを目的とする。
【課題を解決するための手段】
【０００７】
本発明の第１態様による液晶表示装置は、第１基板と、前記第１基板と対向するように配置された第２基板と、前記第１基板と前記第２基板との間に挟持された液晶層と、前記第１基板上において、１以上のスリットを備えるとともにマトリクス状に配置された複数の第１電極と、絶縁層を介して前記複数の第１電極と対向するように配置された第２電極と、前記第１基板および前記第２基板上に配置され、前記液晶層を介して互いに対向する一対の配向膜と、を備え、前記スリットは、第１方向に延びる第１スリット部と、第２方向に延びる第２スリット部とを備え、前記第１方向と前記配向膜のラビング方向とが成す角は、前記第２方向と前記配向膜のラビング方向とが成す角よりも大きい液晶表示装置である。
【０００８】
本発明の第２態様による液晶表示装置は、第１基板と、前記第１基板と対向するように配置された第２基板と、前記第１基板と前記第２基板との間に挟持された液晶層と、前記第１基板上において、１以上のスリットを備えるとともにマトリクス状に配置された複数の第１電極と、絶縁層を介して前記複数の第１電極と対向するように配置された第２電極と、前記第１基板および前記第２基板上に配置され、前記液晶層を介して互いに対向した一対の配向膜と、を備え、前記第１電極は、並んで配置された第１画素電極および第２画素電極を備え、前記第１画素電極に設けられた前記スリットは、第３方向に延びる第３スリット部と、第４方向に延びる第４スリット部と、を備え、前記第２画素電極に設けられた前記スリットは、前記第１画素電極および前記第２画素電極が並ぶ方向と略直交する対称軸方向に対して前記第３方向に対称な第５方向に延びる第５スリット部と、前記対称軸方向に対して前記第４方向に対称な第６方向に延びる第６スリット部と、を備え、前記第４スリット部および前記第６スリット部は、前記第１画素電極および前記第２画素電極の対向する端辺近傍に配置され、前記第３方向および前記第５方向と前記配向膜のラビング方向とが成す角は、前記第４方向および前記第６方向と前記配向膜のラビング方向とが成す角よりも大きい液晶表示装置である。
【０００９】
本発明の第３態様による液晶表示装置は、第１基板と、前記第１基板と対向するように配置された第２基板と、前記第１基板と前記第２基板との間に挟持された液晶層と、前記第１基板上において、１以上のスリットを備えるとともにマトリクス状に配置された複数の第１電極と、絶縁層を介して前記複数の第１電極と対向するように配置された第２電極と、前記第１基板および前記第２基板上に配置され、前記液晶層を介して互いに対向した一対の配向膜と、を備え、前記第１電極は、並んで配置された第１画素電極および第２画素電極を備え、前記第１画素電極に設けられた前記スリットは、第３方向に延びる第３スリット部と、第４方向に延びる第４スリット部と、を備え、前記第２画素電極に設けられた前記スリットは、前記第１画素電極および前記第２画素電極が並ぶ方向と略直交する対称軸方向に対して前記第３方向に対称な第５方向に延びる第５スリット部と、前記対称軸方向に対して前記第４方向に対称な第６方向に延びる第６スリット部と、を備え、前記第３スリット部および前記第５スリット部は、前記第１画素電極および前記第２画素電極の対向する端辺近傍に配置され、前記第３方向および前記第５方向と前記配向膜のラビング方向とが成す角は、前記第４方向および前記第６方向と前記配向膜のラビング方向とが成す角よりも大きい液晶表示装置である。
【発明の効果】
【００１０】
本発明によれば、液晶分子の配向が逆方向のツイスト配向となる部分が発生することを抑制し、表示品位の良好な液晶表示装置を提供することができる。
【図面の簡単な説明】
【００１１】
【図１】本発明の一実施形態に係る液晶表示装置の一構成例を説明するための図である。
【図２】本発明の第１実施形態に係る液晶表示装置の、表示画素の一構成例を説明するための図である。
【図３】本発明の第２実施形態に係る液晶表示装置の、表示画素の一構成例を説明するための図である。
【図４】本発明の第３実施形態に係る液晶表示装置の、表示画素の一構成例を説明するための図である。
【図５】本発明の第４実施形態に係る液晶表示装置の、表示画素の一構成例を説明するための図である。
【図６Ａ】第１電極の周囲に共通電圧が供給される電極を配置して、ＩＰＳ方式により液晶分子の配向を制御する部分を設ける場合の第１電極の一構成例について説明するための図である。
【図６Ｂ】第１電極の周囲に共通電圧が供給される電極を配置して、ＩＰＳ方式により液晶分子の配向を制御する部分を設ける場合の第１電極の一構成例について説明するための図である。
【図６Ｃ】第１電極の周囲に共通電圧が供給される電極を配置して、ＩＰＳ方式により液晶分子の配向を制御する部分を設ける場合の、第１画素電極および第２画素電極の一構成例について説明するための図である。
【図６Ｄ】第１電極の周囲に共通電圧が供給される電極を配置して、ＩＰＳ方式により液晶分子の配向を制御する部分を設ける場合の、第１画素電極および第２画素電極の一構成例について説明するための図である。
【発明を実施するための形態】
【００１２】
以下、本発明の第１実施形態に係る液晶表示装置について、図面を参照して説明する。図１に示すように、本実施形態に係る液晶表示装置は、互いに対向する一対の基板、すなわち第１基板１０１および第２基板１０２と、第１基板１０１と第２基板１０２との間に挟持された液晶層（図示せず）と、マトリクス状に配置された表示画素ＰＸからなる表示部１１０と、を備えている。
【００１３】
第１基板１０１および第２基板１０２は、光透過性絶縁基板であって、例えばガラス基板である。第１基板１０１上には、表示部１１０において、表示画素ＰＸが配列する行に沿って延びた複数の走査線ＧＬと、表示画素ＰＸが配列する列に沿って延びた複数の信号線ＳＬと、走査線ＧＬと信号線ＳＬとの交差位置近傍に配置された画素スイッチＳＷと、各表示画素ＰＸに配置された第１電極ＰＥと、絶縁層（図示せず）を介して複数の第１電極ＰＥと対向する第２電極ＣＥと、が配置されている。
【００１４】
図２に示すように、画素スイッチＳＷは例えば薄膜トランジスタである。画素スイッチＳＷのゲート電極は、対応する走査線ＧＬに電気的に接続されている（あるいは一体に形成されている）。画素スイッチＳＷのソース電極は、対応する信号線ＳＬに電気的に接続されている（あるいは一体に形成されている）。本実施形態に係る液晶表示装置では、画素スイッチＳＷが２つのソース電極を備えている。画素スイッチＳＷのドレイン電極は、コンタクトホールＣＨを介して対応する第１電極ＰＥに接続されている。
【００１５】
第１基板１０１上には、表示部１１０の周囲の領域にゲートドライバ１２１とソースドライバ１２２とが配置されている。複数の走査線ＧＬは、表示部１１０の周囲の領域に延びてゲートドライバ１２１に接続されている。複数の信号線ＳＬは、表示部１１０の周囲の領域に延びてソースドライバ１２２に接続されている。
【００１６】
ゲートドライバ１２１は、複数の走査線ＧＬを順次駆動して、走査線ＧＬに接続された画素スイッチＳＷのソース−ドレイン間を導通させる。ソースドライバ１２２は、複数の信号線ＳＬに映像信号を供給する。信号線ＳＬに供給された映像信号は、対応する画素スイッチを介して第１電極ＰＥに供給される。第２電極ＣＥには、共通電極ＣＯＭを介して共通電圧が供給される。
【００１７】
第１基板１０１および第２基板１０２上には、液晶層を介して対向した一対の配向膜（図示せず）が配置されている。配向膜の表面は、液晶層に含まれる液晶分子の配向状態を規制するために、所定の方向にラビング処理が成されている。本実施形態に係る液晶表示装置では、配向膜は図２に示す方向ＤＲにラビング処理が成されている。
【００１８】
図２に示すように、第１電極ＰＥにはスリットＳＬＴが設けられている。スリットＳＬＴは、第１方向Ｄ１に延びる第１スリット部ＳＬＴ１と、第２方向Ｄ２に延びる第２スリット部ＳＬＴ２とを備えている。第１方向Ｄ１と配向膜がラビング処理された方向ＤＲとが成す角（鋭角）の大きさは、第２方向Ｄ２と配向膜がラビング処理された方向ＤＲとが成す角（鋭角）の大きさよりも大きい。
【００１９】
第２スリット部ＳＬＴ２は、２つの第１スリット部ＳＬＴ１の間に配置されている。すなわち、スリットＳＬＴは、第１電極ＰＥの一端部近傍から第１方向Ｄ１に延び、第１スリット部ＳＬＴ１の端部において第２方向Ｄ２に屈曲し、第２スリット部ＳＬＴ２の端部まで延びて、再び第１方向Ｄ１に屈曲して、一端部と対向する位置に配置された第１電極ＰＥの他端部近傍まで延びている。
【００２０】
このように、第１電極ＰＥにスリットＳＬＴを設けると、第１電極ＰＥに印加される電圧と、第２電極ＣＥに印加される電圧との電位差により、スリットＳＬＴが延びる方向と略直交する方向の横電界が生じる。この横電界によって液晶層に含まれる液晶分子が所定の方向に回転（ツイスト）する。なお、横電界とは、第１基板および第２基板の主面と略平行な方向の電界成分を含む電界である。
【００２１】
ここで、液晶層に押圧や異常な高電圧等の外乱が供給されると、液晶分子が所定の方向に対して逆方向に回転し、そのまま安定状態となることがある。このような液晶分子の逆方向への回転は、配向膜のラビング方向ＤＲとスリットＳＬＴが延びる方向との成す角（鋭角）が大きい方が抑制される。したがって、本実施形態に係る液晶表示装置では、第1スリット部ＳＬＴ１近傍において、液晶分子が逆方向に回転することがより抑制される。
【００２２】
すなわち、本実施形態に係る液晶表示装置によれば、液晶分子の配向が逆方向のツイスト配向となる部分が発生することを抑制し、表示品位の良好な液晶表示装置を提供することができる。特に、第１電極ＰＥの長手方向（あるいはスリットＳＬＴが延びる方向）における端部近傍において逆のツイスト配向となる部分が生じることが抑制される。
【００２３】
次に、本発明の第２実施形態に係る液晶表示装置について図面を参照して以下に説明する。なお、以下の説明において上述の第１実施形態に係る液晶表示装置と同様の構成については同一の符号を付して説明を省略する。
【００２４】
本実施形態に係る液晶表示装置は、第１電極ＰＥの構成以外は上述の第１実施形態に係る液晶表示装置と同様である。図３に示すように、本実施形態に係る液晶表示装置では、第１電極ＰＥにスリットＳＬＴが設けられている。スリットＳＬＴは第１方向Ｄ１に延びる第１スリット部ＳＬＴ１と第２方向Ｄ２に延びる第２スリット部ＳＬＴ２とを備えている。
【００２５】
第１スリット部ＳＬＴ１は、２つの第２スリット部ＳＬＴ２の間に配置されている。すなわち、スリットＳＬＴは、第１電極ＰＥの一端部近傍から第２方向Ｄ２に延び、第２スリット部ＳＬＴ２の端部において第１方向Ｄ１に屈曲し、第１スリット部ＳＬＴ１の端部まで延びて、再び第２方向Ｄ２に屈曲して、一端部と対向する位置に配置された第２電極ＰＥの他端部近傍まで延びている。
【００２６】
このように、第１電極ＰＥにスリットＳＬＴを設けると、第１電極ＰＥに印加される電圧と、第２電極ＣＥに印加される電圧との電位差により、スリットＳＬＴが延びる方向と略直交する方向の横電界が生じる。この横電界によって液晶層に含まれる液晶分子が所定の方向に回転（ツイスト）する。
【００２７】
さらに、上述の第１実施形態に係る液晶表示装置と同様に、第1スリット部ＳＬＴ１近傍において、液晶分子が逆方向に回転することがより抑制される。したがって、本実施形態に係る液晶表示装置によれば、液晶分子の配向が逆方向のツイスト配向となる部分が発生することを抑制し、表示品位の良好な液晶表示装置を提供することができる。特に、第１電極ＰＥの長手方向（あるいはスリットＳＬＴが延びる方向）における中央部分で逆のツイスト配向となる部分が生じることが抑制される。
【００２８】
次に、本発明の第３実施形態に係る液晶表示装置について図面を参照して説明する。図４に示すように、本実施形態に係る液晶表示装置は、第１電極ＰＥが、第１画素電極ＰＥ１と第２画素電極ＰＥ２とを備えている。第１画素電極ＰＥ１と第２画素電極ＰＥ２とは、その長手方向に並んで配置されている。本実施形態に係る液晶表示装置では、配向膜は、第１画素電極ＰＥ１と第２画素電極ＰＥ２とが並ぶ方向（第１電極ＰＥの長手方向）と略平行な方向ＤＲに、ラビング処理が成されている。
【００２９】
第１画素電極ＰＥ１および第２画素電極ＰＥ２には、スリットＳＬＴが設けられている。第１画素電極ＰＥ１に設けられたスリットＳＬＴは、第３方向Ｄ３に延びる第３スリット部ＳＬＴ３と、第４方向Ｄ４に延びる第４スリット部ＳＬＴ４と、を備えている。第４スリット部ＳＬＴ４は、第２画素電極ＰＥ２と対向した第１画素電極ＰＥ１の端辺側に配置されている。
【００３０】
第２画素電極ＰＥ２に設けられたスリットＳＬＴは、第５方向Ｄ５に延びる第５スリット部ＳＬＴ５と、第６方向Ｄ６に延びる第６スリット部ＳＬＴ６と、を備えている。第６スリット部ＳＬＴ６は、第１画素電極ＰＥ１と対向した第２画素電極ＰＥ２の端辺側に配置されている。
【００３１】
第５方向Ｄ５は、第１画素電極ＰＥ１と第２画素電極ＰＥ２とが並ぶ方向と略直交する対称軸方向ＤＡに対して、第３方向Ｄ３に対称な方向である。第６方向Ｄ６は、第１画素電極ＰＥ１と第２画素電極ＰＥ２とが並ぶ方向と略直交する対称軸方向ＤＡに対して、第４方向Ｄ３に対称な方向である。
【００３２】
図４に示すように、第３方向Ｄ３および第５方向Ｄ５と配向膜のラビング方向ＤＲとが成す角（鋭角）は、第４方向Ｄ４および第６方向Ｄ６と配向膜のラビング方向ＤＲとが成す角（鋭角）よりも大きくなっている。
【００３３】
このように、第１画素電極ＰＥ１および第２画素電極ＰＥ２にスリットＳＬＴを設けると、第１画素電極ＰＥ１および第２画素電極ＰＥ２に印加される電圧と、第２電極ＣＥに印加される電圧との電位差により、スリットＳＬＴが延びる方向と略直交する方向の横電界が生じる。この横電界によって液晶層に含まれる液晶分子が所定の方向に回転（ツイスト）する。
【００３４】
ここで、液晶層に押圧や異常な高電圧等の外乱によって生じる液晶分子の逆方向への回転は、配向膜のラビング方向ＤＲとスリットＳＬＴが延びる方向との成す角（鋭角）が大きい方が抑制される。したがって、本実施形態に係る液晶表示装置では、第３スリット部ＳＬＴ３近傍において、液晶分子が逆方向に回転することがより抑制される。同様に、第５スリット部ＳＬＴ５近傍において、液晶分子が逆方向に回転することがより抑制される。
【００３５】
さらに、本実施形態に係る液晶表示装置では、対称軸方向ＤＡに対して、第１画素電極ＰＥ１に設けられたスリットＳＬＴと、第２画素電極ＰＥ２に設けられたスリットＳＬＴとが線対称に配置されている。したがって、第１画素電極ＰＥ１近傍と第２画素電極ＰＥ２近傍とでは、液晶分子の配向状態も線対称となる。
【００３６】
上記のように、線対称となるようにスリットＳＬＴを配置することによって、第１画素電極ＰＥ１および第２画素電極ＰＥ２近傍において、配向状態の異なる複数のドメイン領域が形成され、広視野角化を実現することができる。
【００３７】
すなわち、本実施形態に係る液晶表示装置によれば、液晶分子の配向が逆方向のツイスト配向となる部分が発生することを抑制し、表示品位の良好な液晶表示装置を提供することができる。さらに、本実施形態に係る液晶表示装置によれば、広視野角化を実現することができる。
【００３８】
次に、本発明の第４実施形態に係る液晶表示装置について図面を参照して説明する。図５に示すように、本実施形態に係る液晶表示装置は、第１電極ＰＥが、第１画素電極ＰＥ１と第２画素電極ＰＥ２とを備えている。第１画素電極ＰＥ１と第２画素電極ＰＥ２とは、その長手方向に並んで配置されている。本実施形態に係る液晶表示装置では、配向膜は、第１画素電極ＰＥ１と第２画素電極ＰＥ２とが並ぶ方向（第１電極ＰＥの長手方向）と略平行な方向ＤＲに、ラビング処理が成されている。
【００３９】
第１画素電極ＰＥ１および第２画素電極ＰＥ２には、スリットＳＬＴが設けられている。第１画素電極ＰＥ１に設けられたスリットＳＬＴは、第３方向Ｄ３に延びる第３スリット部ＳＬＴ３と、第４方向Ｄ４に延びる第４スリット部ＳＬＴ４と、を備えている。第３スリット部ＳＬＴ３は、第２画素電極ＰＥ２と対向した第１画素電極ＰＥ１の端辺側に配置されている。
【００４０】
第２画素電極ＰＥ２に設けられたスリットＳＬＴは、第５方向Ｄ５に延びる第５スリット部ＳＬＴ５と、第６方向Ｄ６に延びる第６スリット部ＳＬＴ６と、を備えている。第５スリット部ＳＬＴ５は、第１画素電極ＰＥ１と対向した第２画素電極ＰＥ２の端辺側に配置されている。
【００４１】
第５方向Ｄ５は、第１画素電極ＰＥ１と第２画素電極ＰＥ２とが並ぶ方向と略直交する対称軸方向ＤＡに対して、第３方向Ｄ３に対称な方向である。第６方向Ｄ６は、第１画素電極ＰＥ１と第２画素電極ＰＥ２とが並ぶ方向と略直交する対称軸方向ＤＡに対して、第４方向Ｄ３に対称な方向である。
【００４２】
図４に示すように、第３方向Ｄ３および第５方向Ｄ５と配向膜のラビング方向ＤＲとが成す角（鋭角）は、第４方向Ｄ４および第６方向Ｄ６と配向膜のラビング方向ＤＲとが成す角（鋭角）よりも大きくなっている。
【００４３】
このように、第１画素電極ＰＥ１および第２画素電極ＰＥ２にスリットＳＬＴを設けると、第１画素電極ＰＥ１および第２画素電極ＰＥ２に印加される電圧と、第２電極ＣＥに印加される電圧との電位差により、スリットＳＬＴが延びる方向と略直交する方向の横電界が生じる。この横電界によって液晶層に含まれる液晶分子が所定の方向に回転（ツイスト）する。
【００４４】
ここで、液晶層に押圧や異常な高電圧等の外乱によって生じる液晶分子の逆方向への回転は、配向膜のラビング方向ＤＲとスリットＳＬＴが延びる方向との成す角（鋭角）が大きい方が抑制される。したがって、本実施形態に係る液晶表示装置では、第３スリット部ＳＬＴ３近傍において、液晶分子が逆方向に回転することがより抑制される。同様に、第５スリット部ＳＬＴ５近傍において、液晶分子が逆方向に回転することがより抑制される。
【００４５】
さらに、本実施形態に係る液晶表示装置では、対称軸方向ＤＡに対して、第１画素電極ＰＥ１に設けられたスリットＳＬＴと、第２画素電極ＰＥ２に設けられたスリットＳＬＴとが線対称に配置されている。このように、スリットＳＬＴを配置することによって、第１画素電極ＰＥ１および第２画素電極ＰＥ２近傍において、配向状態の異なる複数のドメイン領域が形成され、広視野角化を実現することができる。
【００４６】
すなわち、本実施形態に係る液晶表示装置によれば、液晶分子の配向が逆方向のツイスト配向となる部分が発生することを抑制し、表示品位の良好な液晶表示装置を提供することができる。さらに、本実施形態に係る液晶表示装置によれば、広視野角化を実現することができる。
【００４７】
なお、この発明は、上記実施形態そのままに限定されるものではなく、実施段階ではその要旨を逸脱しない範囲で構成要素を変形して具体化できる。例えば、上記実施形態では、第１電極ＰＥにスリットＳＬＴが設けられていたが、スリットＳＬＴは第２電極ＣＥに設けられてもよい。その場合であっても、スリットＳＬＴが延びる方向と配向膜のラビング方向との成す角（鋭角）が大きくなる部分を設けることによって、液晶分子が逆方向に回転する部分が生じることを抑制することができる。
【００４８】
また、例えば、第１電極ＰＥの同層において、第１電極ＰＥの周囲に共通電圧が供給される電極（図示せず）をさらに配置して、ＩＰＳ方式により液晶分子の配向を制御する部分を設ける場合には、例えば図６Ａ乃至図６Ｄに示すように、スリットＳＬＴを屈曲させるのと同様に、共通電圧が供給される電極の端辺（図示せず）とその端辺に対向する第１電極ＰＥとの対向した端辺Ｅ１を屈曲させる。
【００４９】
なお、図６Ａには、第１実施形態に係る液晶表示装置においてさらにＩＰＳ方式を採用した場合の第１電ＰＥの形状を示している。図６Ｂには、第２実施形態に係る液晶表示装置においてさらにＩＰＳ方式を採用した場合の第１電ＰＥの形状を示している。図６Ｃには、第３実施形態に係る液晶表示装置においてさらにＩＰＳ方式を採用した場合の第１画素電極ＰＥ１および第２画素電極ＰＥ２の形状を示している。図６Ｄには、第４実施形態に係る液晶表示装置においてさらにＩＰＳ方式を採用した場合の第１画素電極ＰＥ１および第２画素電極ＰＥ２の形状を示している。
【００５０】
このことによって、共通電圧が供給される電極と第１電極ＰＥとの間に生じる間隙Ｗが延びる方向とラビング方向ＤＲとの成す角が大きくなる部分が形成される。例えば、図６Ａに示す場合では、端辺Ｅ１とその端辺Ｅ１に対向する共通電圧が供給される電極の端辺との間隙Ｗの、第１方向Ｄ１に延びている部分は、第２方向Ｄ２に延びている部分よりもラビング方向ＤＲとの成す各が大きくなる。
【００５１】
図６Ａ乃至図６Ｄに示すように、ＦＦＳ方式だけでなくＩＰＳ方式を採用した場合、上述の第１乃至第４実施形態に係る液晶表示装置と同様の効果が得られえるとともに、上記のように、画素電極ＰＥの端辺Ｅ１と共通電圧が供給される電極の端辺との間隙Ｗを形成することによって、第１電極ＰＥの周囲の領域において、ラビング方向ＤＲとの成す角が大きくなる間隙Ｗ近傍で、液晶分子の配向が逆方向のツイスト配向となる部分が生じることを抑制できる。
【００５２】
なお、電極に設けられたスリットが延びる方向と配向膜のラビング方向とが成す角度が大きい場合は、透過率が低下することがあるため、スリットが延びる方向は、一定の透過率が保たれるように設定することが望ましい。
【００５３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００５４】
ＰＸ…表示画素、ＰＥ…第１電極、ＣＥ…第２電極、ＤＲ…ラビング方向、ＳＬＴ…スリット、Ｄ１…第１方向、Ｄ２…第２方向、Ｄ３…第３方向、Ｄ４…第４方向、Ｄ５…第５方向、Ｄ６…第６方向、ＳＬＴ１…第１スリット部、ＰＥ１…第１画素電極、ＳＬＴ２…第２スリット部、ＰＥ２…第２画素電極、ＳＬＴ３…第３スリット部、ＳＬＴ４…第４スリット部、ＳＬＴ５…第５スリット部、ＳＬＴ６…第６スリット部、１０１…第１基板、１０２…第２基板。
【図１】
2011022492.tif 000003
【図２】
2011022492.tif 000004
【図３】
2011022492.tif 000005
【図４】
2011022492.tif 000006
【図５】
2011022492.tif 000007
【図６Ａ】
2011022492.tif 000008
【図６Ｂ】
2011022492.tif 000009
【図６Ｃ】
2011022492.tif 000010
【図６Ｄ】
2011022492.tif 000011